(57)【要約】【課題】  軸上色収差と倍率色収差が共に良好に補正された小型の撮影レンズを実現する。【解決手段】  物体側から像側へ順に、正の屈折力の前群Ｌ１、絞り、負の屈折力の後群Ｌ２より構成され、前群Ｌ１は正のパワーの回折光学素子を含み、後群Ｌ２を構成する少なくとも１つの負レンズは異常分散材料より成り、回折光学素子の光学的パワー及び負レンズＮＬの屈折力が適切に設定されていることを特徴とする撮影レンズ。【選択図】  図１
2010145832.tif 000002
【特許請求の範囲】
【請求項１】
物体側から像側へ順に、正の屈折力の前群、絞り、負の屈折力の後群より構成され、前記前群は正の光学的パワーを持つ回折光学素子を含み、前記回折光学素子の焦点距離をｆＤ、前記後群の少なくとも１つの負レンズの焦点距離をｆＮ、該負レンズを構成する材料の異常分散性をΔθｇＦ、アッベ数をνｄ、全系の焦点距離をｆとしたとき、
３０＜｜ｆＤ／ｆＮ｜＜２００
０．２２＜｜ｆＮ／ｆ｜＜０．５０
０．００１０＜ΔθｇＦ／νｄ＜０．０２００
なる条件式を満足することを特徴とする撮影レンズ。
【請求項２】
前記負レンズは、
０．００５０＜｜ΔθｇＦ＊ｆ／（νｄ＊ｆＮ）｜＜０．０５００
０．０１０＜｜ｆ／（νｄ＊ｆＮ）｜＜０．１９０
なる条件式を満足することを特徴とする請求項１に記載の撮影レンズ。
【請求項３】
前記前群の焦点距離をｆ１としたとき、
０．１０＜ｆ１／ｆ＜１．００
なる条件式を満足することを特徴とする請求項１または２に記載の撮影レンズ。
【請求項４】
固体撮像素子に像を形成することを特徴とする請求項１乃至３のいずれか１項に記載の撮影レンズ。
【請求項５】
請求項１乃至４のいずれか１項に記載の撮影レンズと該撮影レンズによって形成される像を受光する固体撮像素子とを有することを特徴とする撮像装置。
【発明の詳細な説明】
【技術分野】
【０００１】
本発明は、銀塩写真カメラ、デジタル一眼レフカメラ等に好適な撮影レンズに関する。
【背景技術】
【０００２】
一般的に、撮影レンズは、焦点距離が大きくなるに従って軸上色収差が増大する。また、レンズ全長が短くなるに従って軸上色収差及び倍率色収差が増大する。これらの色収差を、回折光学素子を用いて補正した撮影レンズが知られている（特許文献１、２）。
【０００３】
特許文献１では、絞りよりも物体側に配置されたレンズによって構成される前群に、正の光学的パワー（焦点距離の逆数）を有する回折光学素子を配置することにより、撮影レンズの色収差を低減している。
【０００４】
特許文献２では、前群に正の光学的パワーを有する回折光学素子を配置すると共に、絞りよりも像側に配置されたレンズによって構成される後群において、一部のレンズに異常分散材料を用いることにより、撮影レンズの色収差を低減している。
【特許文献１】特開２０００−２５８６８５号公報
【特許文献２】特開２００６−２８５０２１号公報
【発明の開示】
【発明が解決しようとする課題】
【０００５】
特許文献１の撮影レンズによれば色収差をある程度低減できるものの、撮像素子の高画素化に伴って、色収差が更に良好に補正された撮影レンズが望まれている。
【０００６】
特許文献２の撮影レンズは、望遠端において、軸上色収差と倍率色収差を同時に十分に低減することができない。
【０００７】
本発明は、軸上色収差と倍率色収差が共に良好に補正された、小型の撮影レンズを得ることを目的としている。
【課題を解決するための手段】
【０００８】
本発明の撮影レンズは、物体側から像側へ順に、正の屈折力の前群、絞り、負の屈折力の後群より構成され、前記前群は正の光学的パワーを持つ回折光学素子を含み、前記後群を構成する少なくとも１つの負レンズを構成する材料の異常分散性をΔθｇＦ、アッベ数をνｄとし、前記負レンズの焦点距離をｆＮとし、前記回折光学素子の焦点距離をｆＤとしたとき、
３０＜｜ｆＤ／ｆＮ｜＜２００
０．２２＜｜ｆＮ／ｆ｜＜０．５０
０．００１０＜ΔθｇＦ／νｄ＜０．０２００
なる条件式を満足することを特徴としている。
【発明の効果】
【０００９】
本発明によれば、軸上色収差と倍率色収差が良好に補正された、小型の撮影レンズを得ることができる。
【発明を実施するための最良の形態】
【００１０】
以下に、本発明の好ましい実施の形態を、添付の図面に基づいて詳細に説明する。
【００１１】
本発明の撮影レンズは、物体側より像側へ順に、正の屈折力の前群、絞り、負の屈折力の後群より構成されている。
【００１２】
図１は、本発明の実施例１の撮影レンズのレンズ断面図であり、図２は、本発明の実施例１の撮影レンズの物体距離無限遠における収差図である。
【００１３】
図３は、本発明の実施例２の撮影レンズのレンズ断面図であり、図４は、本発明の実施例２の撮影レンズの物体距離無限遠における収差図である。
【００１４】
図５は、本発明の実施例３の撮影レンズのレンズ断面図であり、図６は、本発明の実施例３の撮影レンズの物体距離無限遠における収差図である。
【００１５】
図７は本発明の撮影レンズを備えるカメラ（撮像装置）の要部概略図である。
【００１６】
各レンズ断面図において、Ｌ１は前群、Ｌ２は後群、ＤＯは回折光学素子、ＮＬは異常分散材料により構成された負レンズ、ＳＰは絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００１７】
各実施例の撮影レンズはデジタルカメラやビデオカメラ等の撮像装置に用いられる。レンズ断面図において、左方が被写体側（前方）であり、右方が像側（後方）である。
【００１８】
収差図において、ｄはｄ線、ｇはｇ線、ΔＭはメリディオナル像面、ΔＳはサジタル像面、倍率色収差はｇ線によって表している。ωは半画角、ＦｎｏはＦナンバーである。
【００１９】
なお、各実施例では、前群Ｌ１の最も像側に配置された負レンズを移動させることによりフォーカシングを行っている。
【００２０】
本発明の撮影レンズにおける色収差補正の原理を説明する。
【００２１】
本発明の撮影レンズの各実施例においては、絞りＳＰよりも物体側に配置された前群Ｌ１の最も物体側に配置された接合レンズの接合面に正の光学的パワー（焦点距離の逆数）を有する回折光学素子ＤＯを導入している。これにより、通常はオーバー側に残存する軸上色収差の２次スペクトルをアンダー側に補正し、通常はアンダー側に残存する倍率色収差の２次スペクトルをオーバー側に補正している。
【００２２】
しかしながら、回折光学素子ＤＯを前群Ｌ１に導入しただけでは、軸上色収差を補正すると倍率色収差がアンダー側に残存し、倍率色収差を補正すると軸上色収差がアンダー側に残存してしまう。
【００２３】
そこで、後群Ｌ２の軸外光線が通る高さが高くなる位置に、異常分散材料からなる負レンズＮＬを配置することにより、前群Ｌ１でアンダー側に補正にされた軸上色収差をオーバー側に戻すと共に、倍率色収差をオーバー側に補正している。
【００２４】
このように、前群Ｌ１に正の光学的パワーを持つ回折光学素子ＤＯを配置すると共に、後群Ｌ２に異常分散材料より成る負レンズＮＬを配置することで、軸上色収差と倍率色収差を共に良好に補正することができる。
【００２５】
より詳細には、本発明の撮影レンズは、回折光学素子ＤＯの焦点距離をｆＤ、後群の少なくとも１つの負レンズＮＬの焦点距離をｆＮ、該負レンズを構成する材料の異常分散性をΔθｇＦ、ｄ線に対するアッベ数をνｄ、全系の焦点距離をｆとしたとき、
３０＜｜ｆＤ／ｆＮ｜＜２００          （１）
０．２２＜｜ｆＮ／ｆ｜＜０．５０          （２）
０．００１０＜ΔθｇＦ／νｄ＜０．０２００          （３）
なる条件式を満足している。
【００２６】
ここで、ΔθｇＦ、θｇＦは以下のように定義される。
【００２７】
ΔθｇＦ＝θｇＦ−（−０．００１６８２＊νｄ＋０．６４３８）
θｇＦ＝（ｎｇ−ｎＦ）／（ｎＦ−ｎＣ）
なお、ｎｇ、ｎＦ、ｎＣはそれぞれ、ｇ線、Ｆ線、Ｃ線に対する屈折率である。
【００２８】
条件式（１）は、軸上色収差と倍率色収差のバランスを取るために、回折光学素子ＤＯと負レンズＮＬの焦点距離の適切な比を規定したものである。
【００２９】
条件式（１）の上限を超えると、負レンズＮＬの屈折力（焦点距離の逆数）が回折光学素子の光学的パワー（焦点距離の逆数）に対して大きくなりすぎて、倍率色収差がオーバー側に残存するため、好ましくない。
【００３０】
条件式（１）の下限を超えると、負レンズＮＬの屈折力が回折光学素子ＤＯの光学的パワーに対して小さくなりすぎて、倍率色収差の補正力が不足するため、十分に色収差補正を行うことが困難になる。
【００３１】
さらに望ましくは、以下の条件式（１ａ）を満足するのが良い。条件式（１ａ）を満足することにより、軸上色収差と倍率色収差のバランスが更に良好になる。
【００３２】
５０＜｜ｆＤ／ｆＮ｜＜１５０          （１ａ）
条件式（２）は色収差を補正するために、負レンズＮＬの焦点距離ｆＮと全系の焦点距離ｆの適切な比を規定したものである。
【００３３】
条件式（２）の上限を超えると、負レンズＮＬの屈折力が小さくなりすぎて、倍率色収差の補正力が不足するために、十分に色収差を補正することが困難になる。
【００３４】
条件式（２）の下限を超えると、負レンズＮＬの光学的パワーが大きくなりすぎて、倍率色収差がオーバー側に残存するため、好ましくない。
【００３５】
さらに望ましくは、以下の条件式（２ａ）を満足するのが良い。条件式（２ａ）を満足することにより、倍率色収差を更に良好に補正することができる。
【００３６】
０．２５＜│ｆＮ／ｆ│＜０．５０            （２ａ）
条件式（３）は色収差を十分に補正するために、異常分散材料の色収差補正力の適切な範囲を規定したものである。
【００３７】
条件式（３）の上限を超えると倍率色収差がオーバー側に残存するため、好ましくない。
【００３８】
条件式（３）の下限を超えると色収差補正力が小さくなり、十分に軸上色収差、倍率色収差を補正することが困難になる。
【００３９】
さらに望ましくは、以下の条件式（３ａ）を満足するのが良い。条件式（３ａ）を満足することにより、倍率色収差を更に良好に補正することができる。
【００４０】
０．００２０＜ΔθｇＦ／νｄ＜０．０１００          （３ａ）
以上の構成により、本発明の目的は達成されるが、より望ましくは、前記負レンズＮＬが、更に以下の条件式の少なくとも１つを満足するのが良い。
【００４１】
０．００５０＜｜ΔθｇＦ＊ｆ／（νｄ＊ｆＮ）｜＜０．０５００    （４）
０．０１０＜｜ｆ／（νｄ＊ｆＮ）｜＜０．１９０          （５）
０．１０＜ｆ１／ｆ＜１．００          （６）
条件式（４）は、撮影レンズの２次スペクトルを十分に補正する際に、負レンズＮＬの異常分散性ΔθｇＦ、ｄ線に対するアッベ数νｄ、異常分散性を持つ材料により構成される負レンズＮＬの適切な屈折力を規定したものである。
【００４２】
条件式（４）の上限を超えると、負レンズＮＬの２次スペクトルの色収差の補正力が過剰になるため、好ましくない。
【００４３】
条件式（４）の下限を超えると、負レンズＮＬの２次スペクトルの色収差の補正力が不足して、倍率色収差を十分に補正することが困難になる。
【００４４】
さらに望ましくは、以下の条件式（４ａ）を満足するのが良い。条件式（４ａ）を満足すると、倍率色収差を更に良好に補正することができる。
【００４５】
０．００７０＜ΔθｇＦ＊ｆ／（νｄ＊ｆＮ）＜０．０３００    （４ａ）
条件式（５）は負レンズＮＬの適切な１次の色収差の補正力の範囲を規定したものである。
【００４６】
条件式（５）の上限を超えると、１次の色収差の補正力が過剰となるため、好ましくない。
【００４７】
条件式（５）の下限を超えると、１次の色収差の補正力が不足するため、倍率色収差を十分に補正することが困難になる。
【００４８】
さらに望ましくは、以下の条件式（５ａ）を満足するのが良い。条件式（５ａ）を満足することにより、倍率色収差を更に良好に補正することができる。
【００４９】
０．０５０＜｜ｆ／（νｄ＊ｆＮ）｜＜０．１９０          （５ａ）
条件式（６）は、色収差の補正とレンズ全長の短縮を両立するための条件式であり、前群Ｌ１の焦点距離ｆ１と全系の焦点距離ｆの比を規定したものである。
【００５０】
条件式（６）の上限を超えると、前群Ｌ１の屈折力が小さくなり、レンズ全長を十分に短縮することが困難になる。
【００５１】
条件式（６）の下限を超えると前群Ｌ１の屈折力が大きくなり、軸上色収差と倍率色収差を十分に補正することが困難となる。
【００５２】
さらに、望ましくは条件式（６ａ）を満足するのが良い。条件式（６ａ）を満足することによりレンズ全長を更に短縮することができる。
【００５３】
０．３０＜ｆ１／ｆ＜０．９０          （６ａ）
図１を参照して、本発明の撮影レンズの実施例１のレンズ構成を説明する。
【００５４】
実施例１の撮影レンズの前群Ｌ１は、物体側から像側へ順に、屈折力の弱い保護ガラス、正レンズと正レンズの接合レンズ、正レンズ、負レンズ、正レンズ、負レンズ、負レンズにより構成されている。
【００５５】
前群Ｌ１の最も像側に配置された負レンズはフォーカシングのために光軸上を移動するレンズであり、フォーカシング時の色収差の変動を少なくするために低分散材料が用いられている。前群Ｌ１の最も物体側の接合レンズの接合面に正の光学的パワーを持つ回折光学素子ＤＯが導入されており、通常はオーバー側に残存する軸上色収差の２次スペクトルをアンダー側に、通常はアンダー側に残存する倍率色収差の２次スペクトルをオーバー側に補正している。しかし、回折光学素子ＤＯだけでは軸上色収差を補正すると倍率色収差がアンダー側に残存し、倍率色収差を補正すると軸上色収差がアンダー側に残存するため、後群Ｌ２の軸外光線高さの高くなる位置に異常分散材料より成る負レンズＮＬを配置している。これによれば、前群Ｌ１においてアンダー側に補正された軸上色収差をオーバー側に戻し、アンダー側に残存した倍率色収差をオーバー側に補正することができる。
【００５６】
上述のように正の光学的パワーを持つ回折光学素子ＤＯと異常分散材料により構成された負レンズＮＬを適切に用いることで、軸上色収差と倍率色収差を良好に補正している。
【００５７】
図３を参照して、本発明の撮影レンズの実施例２のレンズ構成を説明する。
【００５８】
実施例２の撮影レンズの前群Ｌ１は、物体側から像側へ順に、正レンズと正レンズの接合レンズ、正レンズと負レンズの接合レンズ、負レンズと正レンズの接合レンズ、フォーカシングを行う負レンズにより構成されている。
【００５９】
前群Ｌ１の最も物体側に配置された接合レンズの接合面に正の光学的パワーを有する回折光学素子ＤＯを導入し、通常はオーバー側に残存する軸上色収差の２次スペクトルをアンダー側に、通常はアンダー側に残存する倍率色収差の２次スペクトルをオーバー側に補正している。しかし、回折光学素子ＤＯだけでは軸上色収差を補正すると倍率色収差がアンダー側に残存し、倍率色収差を補正すると軸上色収差がアンダー側に残存するため、後群Ｌ２の軸外光線高さの高くなる位置に異常分散材料からなる負レンズＮＬを配置している。これによれば、前群Ｌ１においてアンダー側に補正にされた軸上色収差をオーバー側に戻し、アンダー側に残存した倍率色収差をオーバー側に補正することができる。上述のように回折光学素子ＤＯと異常分散材料からなる負レンズＮＬを適切に用いることで、軸上色収差と倍率色収差を良好に補正することができる。
【００６０】
なお、実施例２の撮影レンズは、焦点距離が最も短い実施例であるが、レンズ全長を短縮しているため、従来技術では軸上色収差、倍率色収差を小さく抑えることが困難である。
【００６１】
実施例２では、実施例１よりも色収差の補正力が小さい異常分散材料を用いて、軸上色収差、倍率色収差を同時に十分に補正した。その他の構成は実施例１と同様であるため説明を省略する。
【００６２】
図５を参照して、本発明の撮影レンズの実施例３のレンズ構成を説明する。
【００６３】
実施例３の撮影レンズの前群Ｌ１は、物体側から像側へ順に、正レンズと正レンズの接合レンズ、正レンズ、負レンズ、正レンズ、負レンズ、フォーカシングを行う負レンズにより構成されている。前群Ｌ１の最も物体側の接合レンズの接合面に正の光学的パワーを有する回折光学素子ＤＯを導入し、通常はオーバー側に残存する軸上色収差の２次スペクトルをアンダー側に、通常はアンダー側に残存する倍率色収差の２次スペクトルをオーバー側に補正している。しかし、回折光学素子ＤＯだけでは軸上色収差を補正すると倍率色収差がアンダー側に残存し、倍率色収差を補正すると軸上色収差がアンダー側に残存する。
【００６４】
そこで、後群Ｌ２の軸外光線高さの高くなる位置に異常分散材料からなる負レンズＮＬを配置している。これによれば、前群Ｌ１でアンダー側に補正にされた軸上色収差をオーバー側に戻し、アンダー側に残存した倍率色収差をオーバー側に補正することができる。上述のように回折光学素子ＤＯと異常分散材料により構成された負レンズＮＬを適切に用いることで、軸上色収差と倍率色収差を良好に補正することができる。
【００６５】
実施例３の撮影レンズは、焦点距離が最も長い実施例であり、かつレンズ全長を短縮しているので、従来技術では軸上色収差と倍率色収差を十分に小さくすることが困難である。
【００６６】
後群Ｌ２の負レンズＮＬに、実施例１、２と比較して色収差補正力の高い材料を用いることで、比較的小さい光学的パワーで軸上色収差と倍率色収差を同時に十分に小さくしている。また、負レンズＮＬの屈折力が小さくなるので、結果として回折光学素子ＤＯの光学的パワーも小さくなっている。その他については実施例１と同じであるため説明を省略する。
【００６７】
次に本発明の数値実施例を示す。
【００６８】
数値実施例において、ｒｉは物体側より順に第ｉ番目のレンズ面の曲率半径、ｄｉは第ｉ番目のレンズ厚または空気間隔、ｎｉとνｉは第ｉ番目のレンズの材質の屈折率とアッベ数である。
【００６９】
また、非球面形状はレンズ面の中心部の曲率半径をＲとし、光軸方向をＸ軸とし、光軸に対して垂直方向の高さをｈとし、非球面係数をＡｉ（ｉ＝１、２、３…）としたとき、
Ｘ（ｈ）＝（１／Ｒ）ｈ２／（１＋｛１ー（Ｋ＋１）（ｈ／Ｒ）２｝１／２）＋Ａ４ｈ４＋Ａ６ｈ６＋Ａ８ｈ８＋Ａ１０ｈ１０＋・・・
で表されるものとする。
【００７０】
また、回折面の位相形状φは、光軸に対して垂直方向の高さをｈ、回折光の回折次数をｍ、設計波長をλ０、位相係数をＡｉ（ｉ＝１、２、３…）としたとき、
φ（ｈ，ｍ）＝｛２π／（ｍλ０）｝（Ａ２ｈ２＋Ａ４ｈ４＋Ａ６ｈ６＋・・・）
で表されるものとする。
【００７１】
各実施例において、回折光の回折次数ｍは１であり、設計波長λ０はｄ線の波長（５８７．５６ｎｍ）である。
【００７２】
また、本発明の各条件式と数値実施例の関係を表１に示す。
【００７３】
（数値実施例１）
単位 mm
面データ
面番号       r        d      nd         vd       有効径    θgF
1       1196.000    4.50   1.51633    64.1       95.12
2       1196.000    1.50                         95.00
3        116.241    9.40   1.56384    60.7       95.00
4(回折)  319.640    9.00   1.51633    64.1       94.13
5       -484.916   16.76                         93.08
6         95.761    8.60   1.51823    59.0       76.56
7        359.445    3.11                         74.77
8       -495.228    3.60   1.74950    35.3       75.03
9        129.359    4.08                         70.57
10         73.124    8.40   1.48749    70.2       67.85
11        312.109    0.80                         66.79
12         52.125    5.30   1.67270    32.1       60.21
13         41.233  (可変)                         54.25
14        312.990    1.80   1.43387    95.1       36.61
15         61.814  (可変)                         34.93
16(絞り)    ∞      10.50                         27.10
17         98.891    1.30   1.80518    25.4       25.19
18         41.722    4.70   1.48749    70.2       24.96
19        -71.065    0.50                         24.99
20         69.697    3.80   1.76182    26.5       24.58
21        -39.788    1.30   1.80400    46.6       24.39
22         36.193    3.46                         23.27
23        -59.778    1.30   1.80400    46.6       23.33
24         82.853    1.53                         24.19
25         79.688    2.00   1.63555    22.7       25.47    0.689
26         37.238    7.50   1.63980    34.5       26.51
27        -22.041    1.40   1.80610    41.0       26.68
28       -116.409   10.00                         28.71
29         96.927    6.10   1.53172    48.8       35.43
30        -96.804    2.38                         35.99
31          ∞       2.20   1.51633    64.1       36.45
32          ∞     (可変)                         36.61
像面        ∞   
非球面データ
第4面(回折面)
A 2=-4.04572e-005  A 4= 9.88084e-011  
各種データ
焦点距離     391.90  
Fナンバー      4.12  
画角           3.16  
像高          21.64  
レンズ全長   258.90  
BF            60.09  
d13           39.15  
d15           22.84  
d32           60.09  
入射瞳位置   480.05  
射出瞳位置   -63.81  
前側主点位置-367.60  
後側主点位置-331.81
レンズ群データ
群  始面    焦点距離  レンズ構成長  前側主点位置  後側主点位置
1    1     248.02       116.00      -160.19       -155.93
2   16    -276.69        59.97       -32.32       -100.41
単レンズデータ
レンズ  始面  焦点距離
1       1    1807960.73
2       3    310.89
3       4    363.59
4       6    249.12
5       8   -136.51
6      10    193.67
7      12   -364.68
8      14   -177.92
9      17    -90.55
10      18     54.67
11      20     33.75
12      21    -23.39
13      23    -43.01
14      25   -112.04
15      26     22.76
16      27    -33.95
17      29     92.09
18      31      0.00
（数値実施例２）
単位 mm
面データ
面番号       r        d      nd         vd       有効径    θgF
1*        66.660   12.94   1.48749    70.2      100.99
2(回折)  122.932   12.44   1.48749    70.2       99.78
3       1935.016    5.85                         98.36
4*        70.514   15.70   1.48749    70.2       82.89
5      -1634.719    0.00                         80.46
6      -1634.719    3.22   1.74100    52.6       80.46
7        304.118    9.26                         75.45
8        180.978    2.92   1.83481    42.7       62.24
9         31.515    0.00                         51.00
10         31.515   15.50   1.48749    70.2       51.00
11       -361.746  (可変)                         50.15
12        239.839    1.75   1.43387    95.1       41.13
13         32.243  (可変)                         36.75
14(絞り)    ∞       3.92                         32.16
15         65.777    1.27   1.80518    25.4       30.00
16         29.373    0.00                         28.63
17         29.373    5.08   1.51742    52.4       28.63
18        995.583    2.24                         28.56
19         49.644    4.22   1.75520    27.5       29.02
20       -235.951    0.00                         28.69
21       -235.951    1.27   1.81600    46.6       28.69
22         53.841    2.28                         28.02
23        475.141    1.27   1.83481    42.7       28.07
24         49.205    3.51                         28.15
25       -280.417    3.00   1.64769    33.8       28.79
26        -44.143    0.00                         29.14
27        -44.143    1.36   1.83481    42.7       29.14
28*       502.189    0.80                         30.81
29        276.896    5.00   1.80518    25.4       31.73
30        -43.072    0.00                         32.24
31        -67.094    1.95   1.89000    19.1       32.27   0.662
32       -734.089    0.49                         33.19
33         98.844    5.68   1.80518    25.4       34.11
34       1402.397    0.49                         34.42
35          ∞       2.14   1.51633    64.1       34.47
36          ∞     (可変)                         34.68
像面        ∞   
非球面データ
第1面
K =-2.69344e-001  A 4= 2.22876e-008  A 6=-2.43963e-011  A 8= 4.53069e-015  A10=-2.47743e-018  
第2面(回折面)
A 2=-4.70270e-005  A 4= 2.20931e-010  A 6=-2.80191e-013  A 8= 1.60426e-016  
第4面
K = 1.07292e-001  A 4=-2.96499e-007  A 6= 5.71510e-012  A 8=-2.57793e-014  A10= 1.55681e-017  
第28面
K =-4.60382e+002  A 4=-1.11076e-006  A 6=-2.90652e-009  A 8= 2.56273e-012  A10=-7.92837e-015  
各種データ
焦点距離     290.84  
Fナンバー      2.88  
画角           4.25  
像高          21.64  
レンズ全長   209.10  
BF            57.56  
d11            8.23  
d13           17.78  
d36           57.56  
入射瞳位置   319.28  
射出瞳位置   -36.67  
前側主点位置-287.61  
後側主点位置-233.29
レンズ群データ
群  始面    焦点距離  レンズ構成長  前側主点位置  後側主点位置
1    1     253.07        87.81      -231.53       -155.63
2   14    -784.25        45.96       -22.17        -59.48
単レンズデータ
レンズ  始面  焦点距離
1       1    271.16
2       2    262.04
3       4    139.09
4       6   -345.80
5       8    -46.12
6      10     60.25
7      12    -86.08
8      15    -66.95
9      17     58.39
10      19     54.66
11      21    -53.62
12      23    -65.84
13      25     80.49
14      27    -48.55
15      29     46.62
16      31    -83.08
17      33    131.81
18      35      0.00
（数値実施例３）
単位 mm
面データ
面番号       r        d      nd         vd       有効径  θgF
1        159.580    7.00   1.56384    60.7       99.57
2(回折)  191.677   11.50   1.51633    64.1       98.30
3       -422.539   11.67                         97.78
4        120.754   10.21   1.48749    70.2       86.92
5      -1055.935    4.03                         86.21
6       -383.786    4.50   1.83400    37.2       83.69
7        183.054    0.27                         79.57
8         71.165   10.11   1.48749    70.2       77.33
9        163.055    0.15                         75.44
10         95.990    4.00   1.77250    49.6       73.40
11         63.175  (可変)                         68.39
12        223.112    3.00   1.43875    95.0       50.08
13        112.913  (可変)                         48.71
14(絞り)    ∞       5.00                         42.76
15        122.486    2.00   1.83400    37.2       40.95
16         56.539    7.64   1.51742    52.4       39.78
17       -107.636    0.50                         39.32
18         70.717    6.07   1.69895    30.1       36.77
19        -70.558    2.00   1.77250    49.6       36.08
20         38.318    4.98                         32.23
21       -152.751    2.00   1.74320    49.3       32.14
22       -167.538    0.15                         32.13
23         37.056    4.52   1.60342    38.0       31.46
24       -157.074    2.00   1.83481    42.7       31.35
25         84.242   16.72                         29.90
26        585.134    2.91   1.80518    25.4       24.54
27        168.963    1.50   1.56691    23.3       23.87  0.802
28         78.220   33.00                         23.44
29          ∞       2.20   1.51633    64.1       27.76
30          ∞     (可変)                         27.98
像面        ∞   
非球面データ
第2面(回折面)
A 2=-2.18762e-005  A 4= 3.19659e-010  A 6=-1.30301e-013  
各種データ
焦点距離     582.48  
Fナンバー      5.85  
画角           2.13  
像高          21.64  
レンズ全長   346.68  
BF           103.15  
d11           59.08  
d13           24.83  
d30          103.15  
入射瞳位置   359.81  
射出瞳位置   -67.25  
前側主点位置-1048.76  
後側主点位置-479.33  
レンズ群データ
群  始面    焦点距離  レンズ構成長  前側主点位置  後側主点位置
1    1     330.68       110.52      -143.51       -168.41
2   14    -160.10        92.18        57.05        -26.95
単レンズデータ
レンズ  始面  焦点距離
1       1    1467.89
2       2    254.19
3       4    222.92
4       6   -148.07
5       8    250.02
6      10   -252.64
7      12   -525.41
8      15   -127.67
9      16     72.80
10      18     51.44
11      19    -31.89
12      21   -2471.30
13      23     50.13
14      24    -65.44
15      26   -295.96
16      27   -258.46
17      29      0.00
【００７４】
【表１】
2010145832.tif 000003
【００７５】
図７は前述の実施例１〜３に示した撮影レンズを用いたカメラ（撮像装置）を示しており、レンズ鏡筒１０には、実施例１〜４に示した撮影レンズ１１が内蔵されている。カメラ本体２０内には、撮影レンズ１１によって取り込まれた光束を上方に反射するミラー２１、撮影レンズ１１によって被写体像が形成される焦点板２２、焦点板２２からの光束を正立像に変換するペンタダハプリズム２３、焦点板２２上に形成された被写体像を観察するための接眼レンズ２４、撮影レンズからの光束を受光するＣＣＤセンサやＣＭＯＳセンサ等の固体撮像素子（光電変換素子）２５等が設けられている。
【００７６】
図７は、観察状態つまり撮影待機状態を表しているが、レリーズボタンを撮影者が操作することにより、ミラー２１が図示の光路中から退避し、固体撮像素子２５上に被写体像が取り込まれる。このように、実施例１〜３に示した撮影レンズをカメラに用いることにより、高い光学性能を持つカメラを実現することができる。
【図面の簡単な説明】
【００７７】
【図１】本発明の実施例１の撮影レンズのレンズ断面図
【図２】本発明の実施例１の撮影レンズの無限遠における収差図
【図３】本発明の実施例２の撮影レンズのレンズ断面図
【図４】本発明の実施例２の撮影レンズの無限遠における収差図
【図５】本発明の実施例３の撮影レンズのレンズ断面図
【図６】本発明の実施例３の撮影レンズの無限遠における収差図
【図７】本発明の実施例１〜３の撮影レンズを用いたカメラの概略構成図
【符号の説明】
【００７８】
Ｌ１  前群
Ｌ２  後群
ＳＰ  絞り
ＩＰ  像面
ＤＯ  回折光学素子
ＮＬ  異常分散材料により構成される負レンズ
ｄ  ｄ線
ｇ  ｇ線
ΔＳ  サジタル像面
ΔＭ  メリディオナル像面
Ｆｎｏ  Ｆナンバー
ω  半画角
【図１】
2010145832.tif 000004
【図２】
2010145832.tif 000005
【図３】
2010145832.tif 000006
【図４】
2010145832.tif 000007
【図５】
2010145832.tif 000008
【図６】
2010145832.tif 000009
【図７】
2010145832.tif 000010